(57)【要約】【課題】運動の軽重や強弱、動作のバラエティーなどに拘わらず、着用者に対する導電部の移動を確実に防止でき、もって外乱の無い正確なデータとして運動量の変動に伴うバイタルデータの変位量を採取すること等に、好適に使用できる。【解決手段】伸縮性生地より成る上衣部２を有した衣類であって、上衣部２には、着用者Ｍの肩上辺と背部及び／又は胸部との左右同側となる対応領域を身丈方向に渡る箇所などに、当該箇所内の一部に配置された導電部１１Ｌとこの導電部１１Ｌに導通接続された状態で当該箇所内を配線された導電ライン１３Ｌとを有する配線パターンが設けられており、導電ライン１３Ｌは、上衣部２のなかで着用者の腕乃至肩の動きに伴って位置ズレ又は皺を発生しやすい非定置域を非通過としつつ当該非定置域に隣接して分布する静置域を通過する配置で上衣部２に対して設けられている。【選択図】図１
2018162525.tif 000002
【特許請求の範囲】
【請求項１】
伸縮性生地より成る上衣部を有した衣類であって、
前記上衣部には、
着用者の肩上辺と背部及び／又は胸部との左右同側となる対応領域を身丈方向に渡る箇所、着用者の肩上辺と上腕部の前面及び／又は後面との対応領域を袖丈方向に渡る箇所、の少なくとも一箇所に対して当該箇所内の一部に配置された導電部とこの導電部に導通接続された状態で当該箇所内を配線された導電ラインとを有する配線パターンが設けられており、
前記導電ラインは、前記上衣部のなかで着用者の腕乃至肩の動きに伴って位置ズレ又は皺を発生しやすい非定置域を非通過としつつ当該非定置域に隣接して分布する静置域を通過する配置で前記上衣部に対して設けられている
ことを特徴とする導電ライン付き衣類。
【請求項２】
前記導電ラインは、ライン長手方向に渡り、前記上衣部を形成する生地よりも伸張応力が高い素材を含んで形成されていることを特徴とする請求項１記載の導電ライン付き衣類。
【請求項３】
前記上衣部は袖付き形体とされており、少なくとも着用者の肩上辺に対応する部位では前身頃と後身頃とが肩継ぎ無しの連続生地によって形成されている
ことを特徴とする請求項１又は請求項２記載の導電ライン付き衣類。
【請求項４】
前記上衣部には、着用者の背部に対応して配置された左右の導電部に対して着用者の背筋位置を越えて両導電部を連結する連結部材が設けられていることを特徴する請求項１乃至請求項３のいずれか１項に記載の導電ライン付き衣類。
【発明の詳細な説明】
【技術分野】
【０００１】
本発明は、バイタルデータ（殊に動作中における筋電図作成用データ）を検出する際などに好適に使用することのできる導電ライン付き衣類に関する。
【背景技術】
【０００２】
激しい運動をしたときでも安定的にバイタルデータの検出ができるようにするため、従来、衣類に取り付ける導電部自体、又は導電部の周部に複数の小さな突起物を付設することによってこの突起物と衣類の着用者（肌面）との摩擦抵抗を増やし、もって着用者に対する導電部の横滑り（位置ズレ）を抑制しようとする工夫が試されている（特許文献１）。
【０００３】
特許文献１において、複数の小さな突起物は、突端側の断面形状を楕円状や吸盤形に形成するのが好適であると説明されている。なお、この特許文献１では、突起物の突端と導電部の表面とが同じ高さとなるようにした実施例や、導電性を有した突起物を導電部上に載設させた実施例が開示されている。
【先行技術文献】
【特許文献】
【０００４】
【特許文献１】特開２０１６−３６６４２号公報
【発明の概要】
【発明が解決しようとする課題】
【０００５】
特許文献１に記載された導電部は、突起物が小さいために着用者に対する接触面積も自ずと小さなものであり、突起物による摩擦抵抗を高めたとは言っても、それだけで着用者に対する導電部の横滑りを防止できるわけではない。すなわち、この導電部は、衣類側で着用者を締め付けるような強い緊締力（着用者へ向けた押圧力）を生じさせておくことが前提となる筈である。
【０００６】
とはいえ、衣類の緊締力を過剰に強くすると、人体が受ける圧迫感から息苦しさや動き難さ、蒸れ感などが強調されることになる。そのため、これが要因となり、外乱の無い正確な（純粋な）データとして、運動量（負荷）の変動に伴うバイタルデータの変位量を採取することは困難となる。このことから、衣類に生じさせる緊締力には自ずと上限があることは明らかである。
【０００７】
そうであるならば、導電部に複数の小さな突起物を付設するという対策だけでは、大きな摩擦抵抗を発生させるには至らず、結果として、着用者に対する導電部の横滑り抑制効果も十分には得られないことは想像に難くない。
例えば、衣類の上衣部の場合を例示すると、上衣部は、着用者が腕を動かすのに伴って、着用者の肩上辺と肩甲骨対応部位との左右同側の上下間を渡る部位や、着用者の肩上辺と上腕部の前面又は後面との袖丈間を渡る部位などが、一見して明らかな程度に位置ズレしたり、皺を発生したりする。このような部位へ導電部を配置すれば、導電部の摩擦抵抗をどんなに高めても、いとも簡単に導電部の位置ズレが生じてしまう。
【０００８】
のみならず、本出願人は、引き続き行った試行錯誤のなかで導電部の摩擦抵抗を高める方法には次の２点の根本的な問題が含まれていることを知見するに至った。その第１点は、着用者の動作の種類によっては、それに伴う衣類の動きも大きく且つ立体的（３次元的）になるので、そもそも着用者から導電部が離れてしまう場合がある点である。
また第２点は、衣類を着る際に導電部が着用者の肌面に引っ掛かるようになって（滑りが阻害されて）、目的の検出位置へ到達しない場合がある点である。要するに、導電部の摩擦抵抗を高めようとする提案は、単にそれだけでは目的とする作用効果との間で寧ろ逆効果となることも有り得るということである。
【０００９】
本発明は、上記事情に鑑みてなされたものであって、運動の軽重や強弱、動作のバラエティーなどに拘わらず、着用者（肌面）に対する導電部の移動を確実に防止でき、もって外乱の無い正確な（純粋な）データとして運動量（負荷）の変動に伴うバイタルデータの
変位量を採取すること等に、好適に使用できるようにした導電ライン付き衣類を提供することを目的とする。
【課題を解決するための手段】
【００１０】
前記目的を達成するために、本発明は次の手段を講じた。
即ち、本発明に係る導電ライン付き衣類は、伸縮性生地より成る上衣部を有した衣類であって、前記上衣部には、着用者の肩上辺と背部及び／又は胸部との左右同側となる対応領域を身丈方向に渡る箇所、着用者の肩上辺と上腕部の前面及び／又は後面との対応領域を袖丈方向に渡る箇所、の少なくとも一箇所に対して当該箇所内の一部に配置された導電部とこの導電部に導通接続された状態で当該箇所内を配線された導電ラインとを有する配線パターンが設けられており、前記導電ラインは、前記上衣部のなかで着用者の腕乃至肩の動きに伴って位置ズレ又は皺を発生しやすい非定置域を非通過としつつ当該非定置域に隣接して分布する静置域を通過する配置で前記上衣部に対して設けられていることを特徴とする。
【００１１】
前記導電ラインは、ライン長手方向に渡り、前記上衣部を形成する生地よりも伸張応力が高い素材を含んで形成されたものとしてもよい。
前記上衣部は袖付き形体とされており、少なくとも着用者の肩上辺に対応する部位では前身頃と後身頃とが肩継ぎ無しの連続生地によって形成されたものとするのが好適である。
【００１２】
前記上衣部には、着用者の背部に対応して配置された左右の導電部に対して着用者の背筋位置を越えて両導電部を連結する連結部材が設けられたものとしてもよい。
【発明の効果】
【００１３】
本発明に係る導電ライン付き衣類は、運動の軽重や強弱、動作のバラエティーなどに拘わらず、着用者（肌面）に対する導電部の移動を確実に防止でき、もって外乱の無い正確な（純粋な）データとして運動量（負荷）の変動に伴うバイタルデータの変位量を採取すること等に、好適に使用できる。
【図面の簡単な説明】
【００１４】
【図１】本発明に係る導電ライン付き衣類の第１実施形態についてその着用者が右腕を上げ左腕を下げた状態にあるときを示したものであって（ａ）は着用者を前（胸側）から見たときの正面図であり（ｂ）は着用者を後（背側）から見たときの背面図である。
【図２】本発明に係る導電ライン付き衣類の第１実施形態についてその着用者がベンチプレス用のベンチに仰向けで寝転んだ状態でバーベルを上げ下ろししている様子について着用者の頭頂側から示したものであって（ａ）はバーベルを下ろしたときの正面図であり（ｂ）はバーベルを上げたときの正面図である。
【図３】衣類に対して特定した各箇所にそれぞれ導電ラインが設けられる様子を模式的に示した分解斜視図である。
【図４】（ａ）は図３のＡ−Ａ線断面図であり（ｂ）は図３のＢ−Ｂ線断面図である。
【図５】本発明に係る導電ライン付き衣類の製作途中を示した展開図（配線パターンを張り付け済みの状態）であって衣類内面が現れるように描いてある。
【図６】本発明に係る導電ライン付き衣類の製作途中を示した背面図（図５の状態から筒状にするための折り込みを行った図）である。
【図７】本発明に係る導電ライン付き衣類の第２実施形態についてその着用者が右腕を上げ左腕を下げた状態にあるときを示したものであって（ａ）は着用者を前（胸側）から見たときの正面図であり（ｂ）は着用者を後（背側）から見たときの背面図である。
【図８】導電ライン付き衣類の比較例についてその着用者が右腕を上げ左腕を下げた状態にあるときを示したものであって（ａ）は着用者を前（胸側）から見たときの正面図であり（ｂ）は着用者を後（背側）から見たときの背面図である。
【図９】導電ライン付き衣類の比較例（図８に示したのと同じもの）についてその着用者がベンチプレス用のベンチに仰向けで寝転んだ状態でバーベルを上げ下ろししている様子について着用者の頭頂側から示したものであって（ａ）はバーベルを下ろしたときの正面図であり（ｂ）はバーベルを上げたときの正面図である。
【発明を実施するための形態】
【００１５】
以下、本発明の実施の形態を、図面に基づき説明する。
図１乃至図６は、本発明に係る導電ライン付き衣類１（以下、「本発明衣類１」と言う）の第１実施形態を示している。
［概要］
本発明衣類１は、伸縮性生地より成る上衣部２（着用者Ｍにおける腰位置と肩位置との間に着用するもの）を有しており、この上衣部２に対して、配線パターン（後述の図３において符号１０Ｌで例示するもの）が設けられたものである。
【００１６】
この配線パターンは、導電部（後述の図３において符号１１Ｌ，１４Ｌで例示するもの）と、この導電部に対して導通接続された導電ライン（後述する図３において符号２０ａ，２０ｂで例示するもの）とを有したものである。
なお、この配線パターンは上衣部２の内面（着用者Ｍの肌面に向けられる面）に配置されるので、図１及び図２では破線で示してある。
【００１７】
導電部の配置やその配置数、及び導電ラインの本数などは特に限定されるものではなく、場所によっては複数本の導電ラインが並行するように配置されていたり、１本の導電ラインが単線で配置されていたりする。詳しくは後述する。
本発明衣類１は、上衣部２に対し、配線パターンに含まれる導電ラインをどのように配置するかに特徴を有したものである。まずは、上衣部２や配線パターンなど、各部の構造を説明し、そのうえで導電ラインの配置について説明する。
【００１８】
なお、本発明衣類１は、上衣部２を有しているものであれば、着用者Ｍの首まわりを取り囲むネック部が備えられているか否か、或いは着用者Ｍの頭部を覆うフードが備えられているか否か、また着用者Ｍの下半身に着用する下衣部が備えられているか否かなどは、殊更限定されるものではない。
［上衣部］
図１は、本発明衣類１の第１実施形態を着た着用者Ｍが、右腕を上げ、左腕を下げた状態を示している。このうち図１（ａ）は着用者Ｍを前（胸側）から見たときの正面図であり、図１（ｂ）は着用者Ｍを後（背側）から見たときの背面図である。
【００１９】
なお、以下の説明では、着用者Ｍを基準としてその左右方向を言うものとし、左右の配置が異なるだけで構成や作用効果が同じものについては符号に「Ｌ（左配置の意味）」又は「Ｒ（右配置の意味）」を付して区別する。
上衣部２は、着用者Ｍの身体の動きに柔軟に追従して伸縮し、且つ常に着用者Ｍの肌面に対する適度な引き締め力（緊締力）を生起してフィットする生地（このような生地を本明細書では「伸縮性生地」と定義する）を素材として形成されている。
【００２０】
上衣部２が編組織を有したものであるか、織組織を有したものであるか、或いは不織布製であるか（その他を含む）、については何ら限定されない。また、上衣部２を形成する繊維の材質についても、非伸縮性繊維のみで形成されている場合を除けば、天然繊維であるか化学繊維であるか等をはじめとして、特に限定されるものではない（非伸縮性繊維が一部含まれているような場合も含む）。
【００２１】
本第１実施形態では、本発明衣類１が袖付きの上衣部２のみによって形成されたものを示している。それは例えば、トレーニングウエア等として製作されることが好ましい。
具体的に言えば、上衣部２は、下端部に着用者Ｍのウエスト部を通す裾口（図示略）が形成され、上端部には着用者Ｍの頭部を通す襟口５が形成され、この襟口５の左右両側に着用者Ｍの肩上辺を覆う肩部６Ｌ，６Ｒを隔てて左右の袖部７Ｌ，７Ｒが形成されたものである。
【００２２】
図例では袖部７Ｌ，７Ｒを半袖としたが、長袖や７部丈袖などとする場合でもよい。なお、着用者Ｍの上腕部からバイタルデータを採取しない場合であれば袖無し（いわゆるノースリーブ形である）とすることも可能である。
［配線パターン］
配線パターンは、前記したように導電部と導電ラインとを有して構成されている。具体
的に言えば、上衣部２に固定されるか又は着脱自在な状態として保持されるデバイス機器（図示略）と導電部との間を導電ラインによって電気的な短絡状態（導通接続）にするためのものである。
【００２３】
なお、デバイス機器は、センサ出力された信号を処理する検出機器や表示機器類だけでなく、信号を有線又は無線で外部機器へ出力する出力機器（発信器など）や、信号を一時的に記録する記録機器などを含むものとする。
また、本第１実施形態では、着用者Ｍの胸部中央に対応させるようにして、上衣部２にデバイス機器を着脱自在にする場合を示している。そこで、上衣部２においてデバイス機器を取り付ける位置には、デバイス機器との導通を図るための接点集合部９（図１（ａ）参照）を設けてある。
【００２４】
この接点集合部９は、デバイス機器との接続を行うための接点を上衣部２の内向きとして、上衣部２の内側にデバイス機器を取り付ける場合に対応させたものであってもよいし、接点を上衣部２の外向きとして、上衣部２の外側にデバイス機器を取り付ける場合に対応させたものであってもよい。
本第１実施形態では、上衣部２に対して左右一対の配線パターン１０Ｌ，１０Ｒが設けられたものとしてある。これら左右の配線パターン１０Ｌ，１０Ｒは、曲がり部や分岐部、合流部などを有しつつも、基本的には上衣部２の生地面を這うようにして帯状や線状に形成されている。
【００２５】
なお、左右の配線パターン１０Ｌ，１０Ｒは、着用者Ｍの背筋位置を中心にして左右対称となる（配置や形状が反転している）関係とされており、作用効果については同じものとしてある。
図３は、左の配線パターン１０Ｌの形成構造を模式的に示した分解図である。また図４（ａ）は図３のＡ−Ａ線断面図であり、図４（ｂ）は図３のＢ−Ｂ線断面図である。
【００２６】
これら図３及び図４から明らかなように、配線パターン１０Ｌは、上衣部２に張り付けるベース層２１に対して導電ライン２０ａ，２０ｂが支持され、またベース層２１の上には、導電ライン２０ａ，２０ｂを包含する範囲で被覆層２２が設けられている。
本第１実施形態では更に、被覆層２２の一部に、接着シート２３を介してカバー生地２４が被覆されたものとしてある。このカバー生地２４は、導電ライン２０ａ，２０ｂの強度的及び湿潤的な保護と着用感の緩和とを目的としたものであるが、省略することは可能である。
【００２７】
ベース層２１及び被覆層２２はいずれも非導電性を有したもので、当然のことながら、複数本の導電ライン２０ａ，２０ｂが並行して設けられている部分でも、導電ライン２０ａ，２０ｂ相互間の絶縁状態は保持されるようになっている。
またベース層２１及び被覆層２２は、いずれも二層構造とされた合成シートより成る。この合成シートは、層上面を形成する上面樹脂材２１ａ，２２ａが層下面を形成する下面樹脂材２１ｂ，２２ｂよりも相対的に高融点となるように形成されたものである。
【００２８】
従って、これらベース層２１及び被覆層２２は、上面樹脂材２１ａ，２２ａの融点より低温で且つ下面樹脂材２１ｂ、２２ｂの融点以上となる加熱を行うことにより下面樹脂材２１ｂ、２２ｂにのみ強固な自着性を生じさせて、上衣部２、ベース層２１、導電ライン２０ａ，２０ｂ、被覆層２２を積層一体化できるようになっている。
このように、導電ライン２０ａ，２０ｂはベース層２１及び被覆層２２を備えているので、両層２１，２２の下面樹脂材２１ｂ、２２ｂ（低融点樹脂）によってもたらされる曲げや伸縮への柔軟な対応ができる利点を得ながらも、両層２１，２２の上面樹脂材２１ａ，２２ａ（高融点樹脂）によってもたらされる十分な耐水圧（防水性）を得られるものとなっている。
【００２９】
なお、被覆層２２には、導電ライン２０ａ，２０ｂの各一端部を露出させるための開口２５（図３参照）が形成されている。この開口２５内には通電補助材２６が配置され、この通電補助材２６を介して導電部（後述の「肩上導電部１１Ｌ」や「胸上導電部１４Ｌ」を例示してある）が結合されるようになっている。
通電補助材２６には、例えばポリウレタン等の熱可塑性樹脂により形成された不織布や
パンチングシート、スクリーン状乃至ネット状シート、面方向には非導通であるが厚さ方向には導電性を示すような異方導電シート、或いは導電接着剤などを用いることができる。これにより、導電ライン２０ａ，２０ｂと導電部（１１Ｌ，１４Ｌ等）とが水密的に導通接続されるようになっている。
【００３０】
通電補助材２６の形成素材としてポリウレタン等の熱可塑性樹脂を含めているのは、加熱溶融時に透過性を生じ、その透過性によって導電ライン２０ａ，２０ｂと導電部（１１Ｌ，１４Ｌ等）との間を完全に絶縁するものとはならず、もって両者間の導電性を確保できるためである。このように、通電補助材２６は、導電ライン２０ａ，２０ｂと導電部（１１Ｌ，１４Ｌ等）とを導通させることができるものであれば、それ自体が導電性を有したものである必要はない。
［導電部］
導電部は、導電性を備えた素材によって形成された部位である。この導電部には、センサ類を取り付けたり、或いはセンサ類は取り付けずにそれ自体の導電性を利用した電極として使用したりする。
【００３１】
具体的には、金属素線や金属被覆線、又は炭素繊維などの導電繊維を用いた編組織、織組織、不織布組織のいずれかとしたり、金属含有インクを用いた塗布面や印刷面としたり、或いは金属片や炭素片などとしたりすることができる。
このような導電部は、本発明衣類１の着用時には着用者Ｍの肌面に直接に接触するように、上衣部２の内面（肌側へ向けられる面）に設けられている。上衣部２の内面に対してこの導電部をどのような配置にするかについては、採取の目的とするバイタルデータごとに公知である。また、導電部の配置数は採取目的に応じて任意に取捨選択できるものである。
【００３２】
本第１実施形態では、次に示す多数の導電部が設けられたものとした。すなわち、
１）図１（ａ）に示すように、着用者Ｍの肩上辺のうち上腕部の頭頂部（三角筋）に対応する左右２位置に設ける導電部（以下では「左の肩上導電部１１Ｌ」「右の肩上導電部１１Ｒ」と言う場合がある）。
２）図１（ｂ）に示すように、着用者Ｍの背部のうち僧帽筋に対応する左右の位置に設ける導電部（以下では「左の背部上導電部１２Ｌ」「右の背部上導電部１２Ｒ」と言う場合がある）、及び広背筋に対応する左右の位置に設ける導電部（以下では「左の背部下導電部１３Ｌ」「右の背部下導電部１３Ｒ」と言う場合がある）。
【００３３】
３）図１（ａ）に示すように、着用者Ｍの胸部のうち大胸筋に対応する左右２位置に設ける導電部（以下では「左の胸上導電部１４Ｌ」「右の胸上導電部１４Ｒ」と言う場合がある）。
４）図１（ａ）に示すように、着用者Ｍの腹直筋に対応する左右２位置に設ける導電部（以下では「左の腹部導電部１５Ｌ」「右の腹部導電部１５Ｒ」と言う場合がある）。
【００３４】
５）図１（ａ）に示すように、着用者Ｍの上腕部のうち前面（上腕二頭筋）に対応する左右位置に設ける導電部（以下では「左の上腕前導電部１６Ｌ」「右の上腕前導電部１６Ｒ」と言う場合がある）。
６）図１（ｂ）に示すように、着用者Ｍの上腕部のうち後面（上腕三頭筋）に対応する左右位置に設ける導電部（以下では「左の上腕後導電部１７Ｌ」「右の上腕後導電部１７Ｒ」と言う場合がある）。
【００３５】
７）図１（ａ）に示すように、着用者Ｍの胸部のうち心臓の高さに対応する左右位置に設ける導電部（以下では「左の胸下導電部１８Ｌ」「右の胸下導電部１８Ｒ」と言う場合がある）。
以上、合計１６個の導電部が設けられたものとしている。
［導電ライン］
導電ライン（図３において符号２０ａ，２０ｂで例示したもの）は、基本的には各配線パターン１０Ｌ，１０Ｒ内でそれらの長手方向に沿うようにして帯状又は線状に形成されたもので、帯状又は線状（長手方向）の両端間に渡って導電性を備えたものとされる。
【００３６】
本第１実施形態において、導電ラインは、ライン長手方向に渡り、上衣部２を形成する
生地よりも伸張応力が高い素材を含んで形成されたものとしている。そのため、導電ライン全体として、上衣部２よりは伸縮量が抑えられたものとなっている。とは言え、導電ラインは立体的な曲げや折り、平面的なカーブに対応した変形には柔軟に対応可能なものとなっている。
【００３７】
なお、導電ラインは、ライン長手方向で上衣部２と同等、又はそれ以上に伸縮自在として伸長後の復元が可能なものとしてもよい。導電ラインについて、その伸縮性をどの程度許容させるかは、上衣部２に対する配置箇所に応じて適宜選択すればよい。その他、導電ラインはその細部構造が殊更限定されるものではない。
具体的な一例を示せば、導電ラインは導電性素材を用いてプリントされたプリント層としたり、導電材料を含んだ繊維により繊維構造体に形成されたものとしたりすることができる。
【００３８】
なお、帯状又は線状の両端間で導電性が得られるのであれば、両端部以外の外面が絶縁被覆されていてもよい。
［導電ラインの配置］
前記したように、導電ライン（図３において符号２０ａ，２０ｂで例示したもの）は、導電部（肩上導電部１１Ｌや胸上導電部１４Ｌなど）とデバイス機器（接点集合部９など）との間を導通接続するものであるから、その配置や本数は、導電部の数や配置に応じて適宜変更され得る。
【００３９】
そこで以下に、前記した導電部ごとにデバイス機器までの具体的な配置を例示する。
１）図１（ａ）に示すように、肩上導電部１１Ｌ，１１Ｒに対しては、上衣部２の肩部６Ｌ，６Ｒ（着用者Ｍの肩上辺に対応）に沿って襟口５へ向かい、襟口５の開口縁部で下方へ折れ曲がり、上衣部２の正面中央（着用者Ｍの胸部中央に対応）で胸上導電部１４Ｌ，１４Ｒの側近を通過（非接続）して接点集合部９へ至る導電ラインが設けられている。
【００４０】
２）図１（ｂ）に示すように、背部上導電部１２Ｌ，１２Ｒに対しては、上衣部２の背面（着用者Ｍの背部の上位寄りに対応）を上方へ延びて襟口５の開口縁部へ向かい、上衣部２の肩部６Ｌ，６Ｒを乗り越えた後、上衣部２の正面中央で胸上導電部１４Ｌ，１４Ｒの側近を通過して接点集合部９へ至る導電ラインが設けられている。
３）図１（ｂ）に示すように、背部下導電部１３Ｌ，１３Ｒに対しては、背部上導電部１２Ｌ，１２Ｒの導電ラインと略同じ経路を辿る導電ラインが設けられている。
【００４１】
４）図１（ａ）に示すように、胸上導電部１４Ｌ，１４Ｒに対しては、上衣部２の正面中央を下方へ延びて接点集合部９へ至る導電ラインが設けられている。
５）図１（ａ）に示すように、腹部導電部１５Ｌ，１５Ｒに対しては、上衣部２の正面中央を上方へ延びて接点集合部９へ至る導電ラインが設けられている。
６）図１（ａ）に示すように、上腕前導電部１６Ｌ，１６Ｒに対しては、上衣部２における袖部７Ｌ，７Ｒの前面（着用者Ｍの上腕部前面に対応）を袖丈方向に延びて袖部７Ｌ，７Ｒの付け根部分近傍でＬ字状に立ち上がり、肩上導電部１１Ｌ，１１Ｒの側近を通過（非接続）し、更に上衣部２の肩部６Ｌ，６Ｒに沿って襟口５へ向かい、襟口５の開口縁部で下方へ折れ曲がり、上衣部２の正面中央で胸上導電部１４Ｌ，１４Ｒの側近を通過して接点集合部９へ至る導電ラインが設けられている。
【００４２】
７）図１（ｂ）に示すように、上腕後導電部１７Ｌ，１７Ｒに対しては、上衣部２における袖部７Ｌ，７Ｒの後面（着用者Ｍの上腕部後面に対応）を袖丈方向に延びて袖部７Ｌ，７Ｒの付け根部分近傍でＬ字状に立ち上がり、肩上導電部１１Ｌ，１１Ｒの側近を通過（非接続）し、更に上衣部２の肩部６Ｌ，６Ｒに沿って襟口５へ向かい、襟口５の開口縁部で下方へ折れ曲がり、上衣部２の正面中央で胸上導電部１４Ｌ，１４Ｒの側近を通過して接点集合部９へ至る導電ラインが設けられている。
【００４３】
８）図１（ａ）に示すように、胸下導電部１８Ｌ，１８Ｒに対しては、上衣部２の正面中央を上方へ延びて接点集合部９へ至る導電ラインが設けられている。
［導電ラインと配線パターンとの関係］
前記したように、本第１実施形態において上衣部２には複数本の導電ライン（図３において符号２０ａ，２０ｂで例示したもの）が設けられるものであり、これら複数本の導電
ラインには、同じ経路を重複する部分（並行して配線される領域）が生じている。
【００４４】
配線パターン１０Ｌ，１０Ｒには、個々の導電ラインを支持し、また被覆するという作用以外にも、このような複数本の導電ラインが重複する部分をまとめるという作用も担っている。
これらの事情に鑑み、配線パターン１０Ｌ，１０Ｒを配置する箇所を整理し、列挙すれば、以下のような箇所に設けられるものであると言える。すなわち、
１）図１（ｂ）に示すように、着用者Ｍの肩上辺と背部との左右同側となる対応領域を身丈方向に渡る箇所（背部上導電部１２Ｌ，１２Ｒや背部下導電部１３Ｌ，１３Ｒの導電ラインにおける背面側の一部となる箇所であり、以下では「第１箇所３１Ｌ，３１Ｒ」と言う場合がある）。
【００４５】
２）図１（ａ）に示すように、着用者Ｍの肩上辺と胸部との左右同側となる対応領域を身丈方向に渡る箇所（肩上導電部１１Ｌ，１１Ｒの導電ラインにおける正面側の一部となる箇所であり、以下では「第２箇所３２Ｌ，３２Ｒ」と言う場合がある）。
３）図１（ａ）に示すように、着用者Ｍの肩上辺と上腕部の前面との対応領域を袖丈方向に渡る箇所（上腕前導電部１６Ｌ，１６Ｒの導電ラインにおける正面側の一部となる箇所であり、以下では「第３箇所３３Ｌ，３３Ｒ」と言う場合がある）。
【００４６】
４）図１（ｂ）に示すように、着用者Ｍの肩上辺と上腕部の後面との対応領域を袖丈方向に渡る箇所（上腕後導電部１７Ｌ，１７Ｒの導電ラインにおける背面側の一部となる箇所であり、以下では「第４箇所３４Ｌ，３４Ｒ」と言う場合がある）
なお、これら４箇所以外にも導電ラインを設けることは可能である。例えば、左右の腹部導電部１５Ｌ，１５Ｒや胸下導電部１８Ｌ，１８Ｒを接点集合部９へ導く箇所（以下では「第５箇所３５Ｌ，３５Ｒ」と言う場合がある）を例示することができる。
【００４７】
また、そもそも接点集合部９の配置は上衣部２の正面中央に限定されるものではなく、上衣部２の正面裾部や背面部などとすることも可能である。また、接点集合部９の配置数も２箇所以上などとすることができる。
そのため、導電ラインは、着用者Ｍの肩上辺を挟んで左右同側となる背部と胸部との各対応領域間を直通で渡る箇所や、着用者Ｍの肩上辺を挟んで上腕部の前面と後面との各対応領域間を直通で渡る箇所などに設けることも可能である。
【００４８】
本発明衣類１では、これら列挙した箇所のうち、少なくとも一箇所に導電ラインが設けられていればよいものである。
［導電ラインの配置による作用効果］
本第１実施形態の配線パターン１０Ｌ，１０Ｒにおいて、第１箇所３１Ｌ，３１Ｒや第２箇所３２Ｌ，３２Ｒは、上衣部２における襟口５の開口縁部（側近）を通過する配置で長手方向を身丈方向へ合わせている。
【００４９】
要するに、上衣部２の肩部６Ｌ，６Ｒ（着用者Ｍの肩上辺に対応）のうち、左の袖部７Ｌの付け根部分と襟口５の開口縁部との間では、その中央領域や袖部７Ｌ寄りとなる領域を回避して、身丈方向（縦方向）へ延ばすように設ける導電ラインを配置したものと言える。
これと同様に、上衣部２の肩部６Ｌ，６Ｒのうち、右の袖部７Ｒの付け根部分と襟口５の開口縁部との間では、その中央領域や袖部７Ｒ寄りとなる領域を回避して、身丈方向（縦方向）へ延ばすように設ける導電ラインを配置したものと言える。
【００５０】
一方、第３箇所３３Ｌ，３３Ｒや第４箇所３４Ｌ，３４Ｒは、袖部７Ｌ，７Ｒの前面や後面を袖丈方向に（袖の長手方向に沿うように）延びた後に、Ｌ字状のカーブ部分を設けて袖部７Ｌ，７Ｒをその周方向に沿って上方へ延ばし、肩上導電部１１Ｌ，１１Ｒの近傍へ至らせている。
要するに、Ｌ字状のカーブ部分を肩上導電部１１Ｌ，１１Ｒに近接させた配置とすることで、左の袖部７Ｌにおける左側面（その筒まわり方向の近傍を含む）や、右の袖部７Ｒにおける右側面（その筒まわり方向の近傍を含む）を回避して、導電ラインを配置したものと言える。
【００５１】
これらの導電ラインの配置を決定するにあたって、本出願人は、多くの試行錯誤を積み
重ねることにより、上衣部２の襟口５に近い部位の前面及び後面や、袖部７Ｌ，７Ｒにおける前面及び後面などが、上衣部２のなかで着用者Ｍの腕乃至肩の動きに伴って位置ズレや皺を発生し難い「静置域」であることを突き止めている。
そのため、図１（ｂ）に示した上衣部２の様子から、本発明衣類１の着用者Ｍが左手を下げているときの肩部６Ｌや袖部７Ｌの状態と、右腕を上げたときの肩部６Ｒや袖部７Ｒの状態とを比較することからも明らかなように、着用者Ｍが腕を上げたり、前後、左右に振ったりする等の運動を行ったとしても、左の第１箇所３１Ｌと右の第１箇所３１Ｒとの相対位置関係は、略不変の状態に保持されている。
【００５２】
すなわち、左右の第１箇所３１Ｌ，３１Ｒは、上衣部２の動き（矢符Ｘ参照）に引っ張られて上下方向で位置ズレすることは少ないものである。
同様に、図１（ａ）に示した上衣部２の様子から、本発明衣類１の着用者Ｍが左手を下げているときの肩部６Ｌや袖部７Ｌの状態と、右腕を上げたときの肩部６Ｒや袖部７Ｒの状態とを比較することからも明らかなように、着用者Ｍが腕を上げたり、前後、左右に振ったりする等の運動を行ったとしても、左の第２箇所３２Ｌと右の第２箇所３２Ｒとの相対位置関係についても、略不変の状態に保持されている。
【００５３】
すなわち、左右の第２箇所３２Ｌ，３２Ｒは、上衣部２の動き（矢符Ｘ参照）に引っ張られて上下方向で位置ズレすることは少ないものである。
それ故、これら第１箇所３１Ｌ，３１Ｒ及び第２箇所３２Ｌ，３２Ｒに配置された導電ラインも位置ズレは生じ難く、これらの導電ラインに接続された左の背部上導電部１２Ｌと右の背部上導電部１２Ｒとの相対間や、左の背部下導電部１３Ｌと右の背部下導電部１３Ｒとの相対間でも、上下方向で位置ズレし難いことになる。
【００５４】
また、袖部７Ｌ，７Ｒにおける前面及び後面も前記したように「静置域」であるから、着用者Ｍが腕を上げたり、前後、左右に振ったりする等の運動を行ったとしても、左の第３箇所３３Ｌや右の第３箇所３３Ｒ、及び左の第４箇所３４Ｌや右の第４箇所３４Ｒが、袖部７Ｌ，７Ｒ自体の伸縮などに引っ張られて袖丈方向等で位置ズレすることは少ないものである。
【００５５】
それ故、これら第３箇所３３Ｌ，３３Ｒ及び第４箇所３４Ｌ，３４Ｒに配置された導電ラインも位置ズレは生じ難く、これらの導電ラインに接続された上腕前導電部１６Ｌ，１６Ｒや上腕後導電部１７Ｌ，１７Ｒも、規定位置から位置ズレし難いことになる。
なお、図１（ａ）（ｂ）において、着用者Ｍが左手を下げ、且つ右腕を上げた状態を示しているのは、比較による判別を容易にするためであって、片腕だけの動きの場合を説明しているわけではない点につき、付言しておく（すなわち、両腕を同時に動かした場合でも各導電部の位置ズレが生じないという利点は得られる）。
【００５６】
これらの作用効果を一層わかりやすいものとするために、図８に示す比較例との違いを説明する。
［比較例］
図８は、比較例衣類１００を着た着用者Ｍが、左腕を下げ、且つ右腕を上げた状態を示したものであって、本発明衣類１を示した図１と対比し易いように描いてある。すなわち、図８（ａ）は着用者Ｍを前（胸側）から見たときの正面図であり、図８（ｂ）は着用者Ｍを後（背側）から見たときの背面図である。
【００５７】
この比較例衣類１００に設けた配線パターン１０１Ｌ，１０１Ｒでは、本発明衣類１の配線パターン１０Ｌ，１０Ｒ（図１参照）に対して、以下に示す３つの相違点を生じさせてある。
すなわち、その第１は、導電ラインにはライン長手方向に渡る伸縮性を許容したものとしてあり、従って配線パターン１０１Ｌ，１０１Ｒは、それら全体として伸縮自在となっている点にある。
【００５８】
また第２に、本発明衣類１の配線パターン１０Ｌ，１０Ｒでは第１箇所３１Ｌ，３１Ｒ（図１（ｂ）参照）に導電ラインを配置したのに対比させて、比較例衣類１００の配線パターン１０１Ｌ，１０１Ｒでは、第１箇所１０３Ｌ，１０３Ｒ（図８（ｂ）参照）を、上衣部１０２における襟口５の開口縁部から遠い位置（袖部７Ｌ，７Ｒの付け根部分）で上
衣部１０２の背面（後面）を斜め方向に下り、左右の背部上導電部１２Ｌ，１２Ｒへ向かうように、変更してある。
【００５９】
同様に、本発明衣類１の配線パターン１０Ｌ，１０Ｒでは第２箇所３２Ｌ，３２Ｒ（図１（ａ）参照）に導電ラインを配置したのに対比させて、比較例衣類１００の配線パターン１０１Ｌ，１０１Ｒでは、第２箇所１０４Ｌ，１０４Ｒ（図８（ａ）参照）を、上衣部１０２における襟口５の開口縁部から遠い位置（袖部７Ｌ，７Ｒの付け根部分）で上衣部１０２の正面（前面）を斜め方向に下り、左右の胸上導電部１４Ｌ，１４Ｒへ向かうように、変更してある。
【００６０】
要するに、この第２の相違点では、上衣部２の肩部６Ｌ，６Ｒ（着用者Ｍの肩上辺に対応）のうち、左の袖部７Ｌ寄りや右の袖部７Ｒ寄りとなる領域に導電ラインを配置したものと言える。
これらの領域は、本出願人による試行錯誤の結果、上衣部２のなかで着用者Ｍの腕乃至肩の動きに伴って位置ズレや皺を発生しやすい「非定置域」であり、また前記した「静置域」とは相対的な隣接関係にあることを突き止めている。
【００６１】
更に、本発明衣類１との相違点の第３では、本発明衣類１の配線パターン１０Ｌ，１０Ｒでは第３箇所３３Ｌ，３３Ｒや第４箇所３４Ｌ，３４Ｒに導電ラインを配置したのに対比させて、比較例衣類１００の配線パターン１０１Ｌ，１０１Ｒでは、第３箇所１０５Ｌ，１０５Ｒや第４箇所１０６Ｌ，１０６Ｒを、袖部７Ｌ，７Ｒの前面や後面を周方向で螺旋状カーブを描くようにしつつ肩上導電部１１Ｌ，１１Ｒの近傍へ至るように、変更してある。
【００６２】
要するに、この第３の相違点では、左右の袖部７Ｌ，７Ｒにおける左右側面に干渉しつつ導電ラインを配置したものと言える。
これらの領域についても、本出願人による試行錯誤の結果、上衣部２のなかで着用者Ｍの腕乃至肩の動きに伴って位置ズレや皺を発生しやすい「非定置域」であり、また前記した「静置域」とは相対的な隣接関係にあることを突き止めている。
［比較例衣類における問題点］
比較例衣類１００では、図８（ｂ）に示した上衣部２の様子（着用者Ｍが左手を下げ、且つ右腕を上げた状態）を比較することからも明らかなように、着用者Ｍが腕を上げたり、前後、左右に振ったりする等の運動を行うと、配線パターン１０１Ｌ，１０１Ｒにおける左の第１箇所１０３Ｌと右の第１箇所１０３Ｒとの相対位置関係には、上下方向で位置ズレが起こっていた。
【００６３】
すなわち、左右の第１箇所１０３Ｌ，１０３Ｒは、上衣部２の動き（矢符Ｘ参照）に引っ張られて上下方向で位置ズレしてしまう（矢符Ｐ参照）ものであった。
それ故、これら第１箇所１０３Ｌ，１０３Ｒに配置された導電ラインも随伴的に位置ズレを起こし、これらの導電ラインに接続された左の背部上導電部１２Ｌと右の背部上導電部１２Ｒとの相対間や、左の背部下導電部１３Ｌと右の背部下導電部１３Ｒとの相対間でも、上下方向で位置ズレするものであった。このように位置ズレする背部上導電部１２Ｌ，１２Ｒや背部下導電部１３Ｌ，１３Ｒからは、正確なバイタルデータを得ることは難しい（データの信憑性が低くなる）。
【００６４】
また同様に、図８（ａ）に示した上衣部２の様子を比較することからも明らかなように、左の第２箇所１０４Ｌと右の第２箇所１０４Ｒとの相対位置関係には、上下方向で位置ズレが起こっていたので、第２箇所１０４Ｌ，１０４Ｒに含まれた導電ラインについても上下方向で位置ズレが起こっている。
そのため、これらの導電ラインに接続された左の胸上導電部１４Ｌと右の胸上導電部１４Ｒとの相対間でも、上下方向で位置ズレするものであった。このように位置ズレする胸上導電部１４Ｌ，１４Ｒからは、正確なバイタルデータを得ることは難しい（データの信憑性が低くなる）。
【００６５】
また、袖部７Ｌ，７Ｒにおける左右側面も前記したように「非定置域」であるから、着用者Ｍが腕を上げたり、前後、左右に振ったりする等の運動を行うと、左の第３箇所１０５Ｌと右の第３箇所１０５Ｒとの相対間や、左の第４箇所１０６Ｌと右の第４箇所１０６
Ｒとの相対間についても、上衣部２の袖部７Ｌ，７Ｒの動き（矢符Ｑ参照）に引っ張られて袖丈方向や筒回り方向で位置ズレしてしまう（矢符Ｔ，Ｓ参照）ものであった。
【００６６】
それ故、これら第３箇所１０５Ｌ，１０５Ｒや第４箇所１０６Ｌ，１０６Ｒに配置された導電ラインも随伴的に位置ズレを起こし、これらの導電ラインに接続された上腕前導電部１６Ｌ，１６Ｒや上腕後導電部１７Ｌ，１７Ｒも、上下方向で位置ズレするものであった。このように位置ズレする上腕前導電部１６Ｌ，１６Ｒや上腕後導電部１７Ｌ，１７Ｒからは、正確なバイタルデータを得ることは難しい（データの信憑性が低くなる）。
［本発明衣類におけるその他の構成］
［上衣部作成用の生地形体］
本第１実施形態では、上衣部２を形成する過程で図５及び図６に示すような人形（ヒトガタ）に展開した裁断生地３８を作成し、身頃本体３９（着用者Ｍの体幹を包む部分）や袖部７Ｌ，７Ｒを筒状に縫製したり、又は接着したりするものとして、本発明衣類１を製作するようにしてある。
【００６７】
なお、図５は裁断生地３８を内面側（着用者Ｍの肌面へ向けられる面）から示したものであり、従ってその左右方向は、図１（ｂ）と同じ向きである。従って、図５の状態から身頃本体３９や袖部７Ｌ，７Ｒを筒状にした様子を示した図６は、上衣部２の背面図である図１（ｂ）と符合するようになる。
この裁断生地３８は、袖部７Ｌ，７Ｒを脇位置で袖丈方向（袖部の長手方向）に切り開き、上衣部２の肩部６Ｌ，６Ｒ（着用者Ｍの肩上辺に対応する部位）４０Ｌ，４０Ｒに継ぎ目（前身頃と後身頃とを隔てるような肩継ぎ）が現れないようにしてあるところに特徴を有している。
【００６８】
この構造を採用することで、上衣部２の肩部６Ｌ，６Ｒに配置される肩上導電部１１Ｌ，１１Ｒや背面に配置される背部上導電部１２Ｌ，１２Ｒ，更には袖部７Ｌ，７Ｒの背側に配置される上腕後導電部１７Ｌ，１７Ｒ（いずれも図１（ｂ）参照）について、それぞれ一連の（継ぎ目の無い）導電ラインによって正面配置の接点集合部９まで導通接続できるようにしている。
【００６９】
また、袖部７Ｌ，７Ｒを切り開いたうち、背側へ向けられる側の生地片４１Ｌ，４１Ｒについては、背部下導電部１３Ｌ，１３Ｒ（図１（ｂ）参照）の配置領域に及ぶ範囲で身丈方向へ三角形状に延ばしてある。
これに伴い、上衣部２の身頃本体３９を背面中央で左右に切り開いて、切り開かれた左右の生地片４２Ｌ，４２Ｒの上縁を、左右方向の外側ほど低位となる向きに傾斜させることにより、袖部７Ｌ，７Ｒの背側生地片４１Ｌ，４１Ｒと接合させるようにしてある。
【００７０】
この構造を採用することで、上衣部２の背面のなかで下位側の配置とされる背部下導電部１３Ｌ，１３Ｒについても、一連の（継ぎ目の無い）導電ラインによって正面配置の接点集合部９まで導通接続できるようにしている。
この構造を採用したことの結果として、左右の配線パターン１０Ｌ，１０Ｒは、それらの略全部（腹部導電部１５Ｌ，１５Ｒ（図１（ａ）参照）を設けない場合であれば「全部」と言える）を一体的に形成することができる。そのため、図５に示した裁断生地３８に対して、一気に、左右の配線パターン１０Ｌ，１０Ｒ（複数箇所の導電部と複数本の導電ライン）を配置することができる、という作用効果を得ることができる。
【００７１】
もとより、左右の配線パターン１０Ｌ，１０Ｒに含まれる全ての導電ラインについては継ぎ目無し構造にできるので、確実で安定した導電性を確保できる（外乱的な電気抵抗や電気ノイズの発生も防止できる）という利点もある。
［上衣部の背面構造］
図１（ｂ）に示すように、背部上導電部１２Ｌ，１２Ｒ間には、着用者Ｍの背筋位置を横切るような配置で連結部材４５を設けてある。また同様に、背部下導電部１３Ｌ，１３Ｒ間には、着用者Ｍの背筋位置を横切るような配置で連結部材４６を設けてある。これら連結部材４５，４６は、互いに略平行の関係にある。
【００７２】
これら連結部材４５，４６は、その帯長手方向において、上衣部２を形成する生地よりも伸張応力が高い素材を含んで形成されたものとしている。すなわち、上衣部２よりは伸
縮量が抑えられたものとなっている。
具体的には、これら連結部材４５，４６は、ポリウレタンのフィルムやシリコン製のベルト、硬質ゴム製のベルトなどにより形成することができる。
【００７３】
なお、これら連結部材４５，４６は他の部材と組み合わせた構成とするものではなく、単一構成であるので、使用素材、帯幅、厚さ、素材に繊維を用いる場合の繊維径（太さ）や編織組織、等々を種々様々に選択、組み合わせすることで、伸長応力の強弱を適宜変更することができる。
このような連結部材４５，４６を採用することで、例えばベンチプレスのような運動（図２参照）を行う際に顕著な効果を得ることができる。
【００７４】
図２は、本第１実施形態において、本発明衣類１の着用者Ｍがベンチプレス用のベンチ５０に仰向けで寝転んだ状態でバーベル５１を上げ下ろししている様子について着用者Ｍの頭頂側から示している。このうち図２（ａ）はバーベル５１を下ろしたときの正面図であり図２（ｂ）はバーベル５１を上げたときの正面図である。
これに対して図９は、図８に示した比較例衣類１００を着た着用者Ｍが、同じくベンチプレスを行っている様子を示したものであって、本発明衣類１を示した図２と対比し易いように描いてある。
【００７５】
このようなベンチプレスの運動では、図２（ａ）や図９（ａ）に示すように、バーベル５１を下ろす動作で上衣部２における左右の袖部７Ｌ，７Ｒが左右に広げられる（下げられる）ようになるので、バーベル５１を下ろせば下ろすほど、肩部６Ｌ，６Ｒ周辺の生地は上衣部２の背側中央へ寄せ付けられて、緩み現象が生じる（矢符Ｙ参照）。
そのため、上衣部２の背側に配置した背部上導電部１２Ｌ，１２Ｒの相互間や、背部下導電部１３Ｌ，１３Ｒの相互間は、相互近接作用を受けることがある。
【００７６】
殊に、着用者Ｍが肘を背面（肩部６Ｌ，６Ｒ）よりも下方へ下げるようにすると生地の緩み現象も顕著となるので、背部上導電部１２Ｌ，１２Ｒや背部下導電部１３Ｌ，１３Ｒが受ける相互近接作用も益々、強くなる傾向になる。
これに対し、図２（ｂ）や図９（ｂ）に示すようにバーベル５１を上げる動作では、左右の袖部７Ｌ，７Ｒが斜め上方へ曲げられるようになるので、肩部６Ｌ，６Ｒ周辺の生地は上衣部２の背側から左右へ引き出されて、引っ張り現象を受ける（矢符Ｚ参照）。
【００７７】
そのため、上衣部２の背側に配置した背部上導電部１２Ｌ，１２Ｒの相互間や、背部下導電部１３Ｌ，１３Ｒの相互間は、相互離反作用を受けることがある。
このような状況下にあって、本第１実施形態（図１（ｂ）参照）で示したように、背部上導電部１２Ｌ，１２Ｒの相互間や背部下導電部１３Ｌ，１３Ｒの相互間を伸張応力が高い連結部材４５，４６によって連結することで、それぞれの相互間隔を不変に保持することができる。
【００７８】
連結部材４５，４６を備えない比較例衣類１００（図８（ｂ）参照）では、殊に図９（ａ）に示すように、バーベル５１を下ろした際に、生地の緩みに伴って肩部６Ｌ，６Ｒ周辺に皺が発生することも相俟って、背部上導電部１２Ｌ，１２Ｒの相互間隔や、背部下導電部１３Ｌ，１３Ｒの相互間隔が変動してしまうものであった。
このように位置ズレする背部上導電部１２Ｌ，１２Ｒや背部下導電部１３Ｌ，１３Ｒからは、正確なバイタルデータを得ることは難しい（データの信憑性が低くなる）。
［導電ライン及び配線パターンの変形例］
図７は、本発明衣類１の第２実施形態を示したものであって、第１実施形態を示した図１と対比し易いように描いてある。すなわち、図７（ａ）は、第２実施形態の本発明衣類１を着た着用者Ｍ（右腕を上げ左腕を下げた状態）を前（胸側）から見たときの正面図であり、図７（ｂ）は着用者Ｍを後（背側）から見たときの背面図である。
【００７９】
本第２実施形態が、前記した第１実施形態（図１参照）と最も異なるところは、上衣部２の肩部６Ｌ，６Ｒ（着用者Ｍの肩上辺に対応）を可及的に避けるようにして配線パターン１０Ｌ，１０Ｒ（導電ライン）を配置している点にある。
具体的には、肩上導電部１１Ｌ，１１Ｒから襟口５の開口縁部へ向かうように配置する導電ラインに対し、肩上導電部１１Ｌ，１１Ｒから一旦、肩前面及び肩後面で下方へ向け
て凹カーブ状に湾曲する回避部を形成させ、その後に襟口５の開口縁部へ至るようにしてある。
【００８０】
このような配置を採用することで、着用者Ｍが腕乃至肩を動かした際にも、更に一層、肩上導電部１１Ｌ，１１Ｒに対して位置ズレの影響が及ばないものとできる利点がある。
本第２実施形態におけるその他の構成や作用効果等は第１実施形態と略同じであり、同一作用を奏するものに同一符号を付することで、ここでの詳説は省略する。
［まとめ］
以上、詳説したところから明らかなように、本発明衣類１では、運動の軽重や強弱、動作のバラエティーなどに拘わらず、着用者（肌面）に対する導電部の移動を確実に防止でき、もって外乱の無い正確な（純粋な）データとして運動量（負荷）の変動に伴うバイタルデータの変位量を採取すること等に、好適に使用できる。
【００８１】
しかも、本発明衣類１の動きが大きく、また立体的（３次元的）であるとき（着用者Ｍの動きが大きく激しい場合など）でも、導電部が着用者Ｍの肌面から離れてしまうということを防止できる。
加えて、導電部には、位置ズレを防止するために、積極的に滑り止め構造を採用したものではないので、本発明衣類１を着る際に、導電部が着用者の肌面に引っ掛かるといったことを防止できるものである。
【００８２】
そのため、本発明衣類１を着たり脱いだりする行為が容易になるばかりでなく、着用する行為にあっては導電部が目的とする検出位置へ迅速且つ正確に到達するものとなり、正確なバイタルデータの採取ができるという利点に繋がる。
ところで、本発明は、前記各実施形態に限定されるものではなく、実施の形態に応じて更に適宜変更可能である。
【００８３】
例えば、本発明衣類１は、バイタルデータの検出に使用することが限定されるものではなく、電気治療や電磁治療などに対しても使用可能である。
導電ラインの配置や形状、大きさ、配置数などは、心電図や筋電図等のデータ採取、或いは電気治療や電磁波治療など、使用目的に応じて適宜変更可能であることは言うまでもない。
【符号の説明】
【００８４】
１  導電ライン付き衣類（本発明衣類）
２ 上衣部
５ 襟口
６Ｌ  左の肩部
６Ｒ  右の肩部
７Ｌ  左の袖部
７Ｒ  右の袖部
９ 接点集合部
１０Ｌ  左の配線パターン
１０Ｒ  右の配線パターン
１１Ｌ  左の肩上導電部
１１Ｒ  右の肩上導電部
１２Ｌ  左の背部上導電部
１２Ｒ  右の背部上導電部
１３Ｌ  左の背部下導電部
１３Ｒ  右の背部下導電部
１４Ｌ  左の胸上導電部
１４Ｒ  右の胸上導電部
１５Ｌ  左の腹部導電部
１５Ｒ  右の腹部導電部
１６Ｌ  左の上腕前導電部
１６Ｒ  右の上腕前導電部
１７Ｌ  左の上腕後導電部
１７Ｒ  右の上腕後導電部
１８Ｌ  左の胸下導電部
１８Ｒ  右の胸下導電部
２０ａ  導電ライン
２０ｂ  導電ライン
２１  ベース層
２１ａ  ベース層の上面樹脂材
２１ｂ  ベース層の下面樹脂材
２２  被覆層
２２ａ  被覆層の上面樹脂材
２２ｂ  被覆層の下面樹脂材
２３  接着シート
２４  カバー生地
２５  開口
２６  通電補助材
３１Ｌ  左の第１箇所
３１Ｒ  右の第１箇所
３２Ｌ  左の第２箇所
３２Ｒ  右の第２箇所
３３Ｌ  左の第３箇所
３３Ｒ  右の第３箇所
３４Ｌ  左の第４箇所
３４Ｒ  右の第４箇所
３５Ｌ  左の第５箇所
３５Ｒ  右の第５箇所
３８  裁断生地
３９  身頃本体
４１Ｌ  左の生地片
４２Ｌ  右の生地片
４５  連結部材
４６  連結部材
５０  ベンチ
５１  バーベル
１００  比較例衣類
１０１Ｌ  左の配線パターン
１０１Ｒ  右の配線パターン
１０２  比較例の上衣部
１０３Ｌ  比較例における左の第１箇所
１０３Ｒ  比較例における右の第１箇所
１０４Ｌ  比較例における左の第２箇所
１０４Ｒ  比較例における右の第２箇所
１０５Ｌ  比較例における左の第３箇所
１０５Ｒ  比較例における右の第３箇所
１０６Ｌ  比較例における左の第４箇所
１０６Ｒ  比較例における左の第４箇所
Ｍ  着用者
【図１】
2018162525.tif 000003
【図２】
2018162525.tif 000004
【図３】
2018162525.tif 000005
【図４】
2018162525.tif 000006
【図５】
2018162525.tif 000007
【図６】
2018162525.tif 000008
【図７】
2018162525.tif 000009
【図８】
2018162525.tif 000010
【図９】
2018162525.tif 000011